(57)【要約】【課題】  広告対象者に対するインパクトと広告内容の認識効果が大きい広告用品を提供することを目的とする。【解決手段】  本発明の広告用品１は、広告デザインの少なくとも一部を自身の形状で表現した広告基体１１からなり、この広告基体１１が広告配設対象物の少なくとも一部を内包して配設され得ることを特徴とする。さらに、広告基体１１は、広告デザインの残部が表現された広告表示面１２を有すると好ましい。また、広告基体１１は、広告配設対象物を内包可能な部位であれば配設できる。これらにより、本広告用品１は、広告デザインに合わせて好適な形状を形成できるうえ、広告基体１１と広告表示面１２の表示内容とを組み合わせた自由な広告デザインも可能となり、また広告配設対象物の一部（例えば、吊革Ｔ、吊輪Ｗ等）の形状を広告用品１のデザインに取り入れて広告対象者にインパクトを与えるような斬新な広告表現を具備することが可能である。【選択図】図１
2015108785.tif 000002
【特許請求の範囲】
【請求項１】
広告デザインの少なくとも一部を自身の形状で表現した広告基体からなり、
該広告基体が広告配設対象物の少なくとも一部を内包して配設され得ることを特徴とする広告用品。
【請求項２】
前記広告基体は、さらに、広告デザインの残部が表現された広告表示面を有する請求項１に記載の広告用品。
【請求項３】
前記広告基体は、分割可能であると共に結合手段を介して環状にされる結合部を有する請求項１または２に記載の広告用品。
【請求項４】
前記結合手段は、着脱可能な留め具である請求項３に記載の広告用品。
【請求項５】
前記広告基体は、伸縮性を有する環状の一体素材からなる請求項１または２に記載の広告用品。
【請求項６】
前記広告表示面の広告デザインは、印刷、ラベルまたはシートからなる請求項２記載の広告用品。
【請求項７】
前記広告デザインは、前記広告配設対象物の少なくとも一部を取り入れて完成される請求項１〜６に記載の広告用品。
【請求項８】
前記広告基体は、透明素材からなる請求項１〜７のいずれかに記載の広告用品。
【請求項９】
前記広告基体は、難燃性素材からなる請求項１〜８のいずれかに記載の広告用品。
【請求項１０】
前記広告基体は、ポリ塩化ビニール樹脂からなる請求項８または９に記載の広告用品。
【請求項１１】
前記広告配設対象物は、車両内に装備される吊革または吊輪である請求項１〜１０のいずれかに記載の広告用品。
【発明の詳細な説明】
【技術分野】
【０００１】
本発明は、交通機関の装備品等に配設され得る広告用品に関する。
【背景技術】
【０００２】
広告手法の一つとして、公共スペースの広告提供枠の全てあるいは殆どを特定の広告で埋め尽くし、公共スペース利用者に対するインパクトを狙うメディアジャックと呼ばれる手法がある。例えば、交通機関の車両におけるメディアジャックの場合、特定の広告で印刷されたシートで車両全体をラッピング等したり、車両内の中吊り広告、側壁や側壁と天井の繋ぎ部分の広告枠等に特定の広告のポスター等を取り付けたりされる。
【０００３】
また、車両内の更なる統一感と非日常空間を演出して広告効果を増大させるために、アイキャッチ効果の高い広告媒体として有効な車両の吊革（適宜、その付属品である吊輪を含む。）に広告用品が付されたりする。これに関連する記載が、例えば、下記の特許文献等にある。
【先行技術文献】
【特許文献】
【０００４】
【特許文献１】意匠登録第１２８２１１９号
【特許文献２】意匠登録第３８６９２０号
【特許文献３】特開平９−９７０２８
【０００５】
特許文献１で提供される広告用品は、上端に吊革を通す穴、下端に把持部、その中間に宣伝用シール等を貼り付ける平面の状の貼付部を有する。この広告用品は、既存の吊輪と置換されて吊革に取り付けられる。
【０００６】
特許文献２で提供される広告用品は、広告表示を有する表示板と呼ばれる略箱形状の１対のカバーで構成され、両表示板は吊輪の上部を挟んでねじ締結で結合される。
【０００７】
特許文献３で提供される広告用品は、軟質の部材にてシート状に形成された広告部材と硬質の部材にて形成された着脱可能なピンとを有する。この広告用品は、吊革とビーム状の支持構造物との結合部に形成される環状部と、吊輪の中空部分とを、広告部材が一部においてピンを介して貫通する環状を形成して配設される。
【０００８】
これらの文献で提供される広告用品は、いずれも、広告表示を印刷した既定寸法のラベルやシール等を既定の表示位置に貼付する形態となっているに過ぎない。このため、広告デザインの自由度が小さく、乗客の視界に入った瞬間における広告のインパクト及び認識効果に欠ける。
【発明の概要】
【発明が解決しようとする課題】
【０００９】
本発明は、上記事情に鑑みてなされたもので、広告対象者に対するインパクトや広告内容の認識効果が大きい広告用品を提供することを目的とする。
【課題を解決するための手段】
【００１０】
本発明者はこの課題を解決すべく鋭意研究し、試行錯誤を重ねた結果、広告用品自身が広告デザインを具現化した形状をなすことで上記目的を達成することができると考え、この着想を具体化すると共に発展させることにより、以降に述べる本発明を完成するに至った。
【００１１】
≪広告用品≫
すなわち、本発明の広告用品は、広告デザインの少なくとも一部を自身の形状で表現した広告基体からなり、該広告基体が広告配設対象物の少なくとも一部を内包して配設され得ることを特徴とする。広告基体は、広告デザインに合わせて好適な形状を自由に形成でき、高い広告効果を得ることができる。そして広告基体は、さらに、広告デザインの残部が表現された広告表示面を有すると好適である。広告基体と広告表示面の表示内容とを組み合わせた広告デザインとすることにより、自由度が高くて広告効果の大きな表現が可能となる。
【００１２】
このように本発明の広告用品によれば、全体で広告内容をアピールできるため、瞬間的に又は遠くから視界に入っただけでも、広告対象者に広告内容を認識させることができる。
【００１３】
また、本発明の広告基体は、広告配設対象物を内包可能な部位であれば配設できる。これにより、広告配設対象物の一部（例えば、吊革、吊輪等）の形状を広告用品のデザインに取り入れて広告対象者にインパクトを与えるような斬新な広告表現も容易となる。そして、広告基体を水平方向に環状に配設した場合、広告配設対象物の周囲３６０度への広告表示も可能となる。
【００１４】
さらに、本発明の広告用品の場合、配設時に既存の広告配設対象物を加工する必要がなくなり、また、撤去時に接着材の固着によって広告配設対象物の表面を汚すこともない。。
【００１５】
≪その他≫
（１）本発明に係る「広告デザイン」は、広告基体自身の形状を取り入れたものであればその形態を問わない。例えば、形状、字、図、模様、写真もしくは色彩等またはそれら二種以上の組み合わせにより表現される。
【００１６】
（２）本発明の広告用品は、その配設対象物を問わないが、例えば、電車やバス等の車両に装備される吊革またはその付属品である吊輪（両者を併せて単に吊革ともいう。）に配設または取り付けられると好ましい。ちなみに、吊革とは、車両上方に設備されているビーム状の支持構造物に固定された鉛直に垂れ下がったベルト状の把持具である。吊輪は、その吊革の下端に支持された略円形状もしくは略三角形状の把持具である。
【図面の簡単な説明】
【００１７】
【図１】本発明に係る第一実施形態を示している正面視における外観写真である。
【図２】本発明に係る第一実施形態を説明する展開図である。
【図３】本発明に係る第二実施形態を示す正面図である。
【図４】本発明に係る第二実施形態の一部である結合部を示している背面視における外観写真である。
【図５】本発明に係る第三実施形態を示す正面図である。
【発明を実施するための形態】
【００１８】
以下、本発明の実施の形態を説明する。本発明に係る広告基体は、予め一体素材で環状をなす筒状等でもよいし、分割可能であると共に結合手段を介して環状をなしてもよい。広告基体が配設前から環状に一体となっている環状素材からなる場合、広告基体は、配設時に、広告配設対象物の端部から任意の配設場所まで、環（輪）に配設対象物を内包しながら移動させることになる。そのため、広告基体は、環（輪）の内径を拡大させ得る伸縮性があると好ましい。一方、結合手段を介して環状を形成する広告基体は、可撓性を有すると、自身が撓むことによって広告配設対象物の形状に沿った配設が可能となり好ましい。伸縮性（さらには可撓性）を有する素材として、例えば、ゴムや伸縮性のある繊維からなる編地等がある。また可撓性を有する素材として、例えば、樹脂、金属、紙、布等がある。
【００１９】
広告基体は、使用環境やコスト等を考慮して、難燃性、防水性、耐熱性もしくは安全性等を備え、安価な素材からなると好ましい。例えば、吊革又は吊輪に配設される場合、火災のリスクを低減させるための難燃性と、乗客の素手に危害を与えない程度の柔軟性とを有するポリ塩化ビニール樹脂等が好ましい。また、透明部材を使用することにより、デザイン上は重要でない結合部を目立たなくすることができる。
【００２０】
更に具体的にいうと、広告基体には、シート状に形成された樹脂を用いると好都合である。表面が平滑なシート状にすることで、広告表示面の表示自由度が高まり、任意の形状への裁断も容易となる。その場合、シートの厚みは、広告基体の形状保持性や可撓性等を考慮して適宜選択される。
【００２１】
広告基体は、それ自身の形状のみにより広告デザインを表現するものでもよいが、形状以外の模様、図柄、色彩、文字等を表示する広告表示面を有すると好適である。広告表示面による広告デザインは、その表示方法を問わないが、例えば、印刷、ラベルまたはシートにより表示され得る。
【００２２】
結合手段は、ねじ締結等による機械的結合、接着材等を用いた接着、高温加熱を施した溶着等から最適な結合手段を選択できる。特に広告用品の再利用を望む場合は、ねじ締結等の着脱可能な手段が好適である。結合部の配置や設置数は、安定した配設と優れた美観を両立させるために、広告用品全体の寸法、形状及び材質等を考慮して設計されることが好ましい。また、結合手段に透明部材を用いると、結合構造を目立たなくさせたり、デザイン自由度を高めることができる。
【実施例】
【００２３】
≪実施例１≫
本発明の一実施例である広告用品１を図１および図２に示した。図１は、広告用品１がバス車両内の吊革Ｔに配設される様子を示した正面視の写真であり、図２はその展開図である。広告用品１は、シート状に成形された透明樹脂であるポリ塩化ビニール製の広告基体１１からなる。広告表示面１２は、広告基体１１の裏面（環状を形成した時に内側となる面）側からキャラクターの絵が直接印刷されてなる。具体的にいうと、広告表示面１２には、図２の展開図に示すように、中央線１３に関して線対称に２体のキャラクターが印刷されている。広告用品１は、広告基体１１がその中央線１３を谷折れ線として略Ｕ字状に折り曲げられることにより、吊革Ｔを内側に内包するように取り付けられる。これにより吊革Ｔの周辺にいる乗客等は、広告用品１の両面側で広告デザインであるキャラクターを認識できるようになる。
【００２４】
広告基体１１の具体的な形態は次の通りである。すなわち、広告基体１１は、前述した２つのキャラクターの輪郭線を数ミリメートル外側にオフセットした線１４及び１４’で囲まれる面１５及び１５’と、面１５及び面１５’の間を繋ぐ接続面１６と、結合部の接合に必要な結合面１７，１７’，１８，及び１８’と、各結合面１９，１９’，２０，２０’に形成された貫通穴１９，１９’，２０，２０’とを有し、ポリ塩化ビニールシートの裁断または打抜きにより形成されている。
【００２５】
広告用品１の吊革Ｔへの取り付けは次のようになされる。中央線１３を中心に広告基体１１を略Ｕ字状に曲げて、吊革Ｔを内側に内包する。その状態で、貫通穴１９，１９’と貫通穴２０，２０’とへ透明樹脂製ボルトを挿入し、透明樹脂製ナットにより締結する。こうして、広告基体１１はそれらボルトおよびナットを介して環状になり吊革Ｔを内包して配設される。なお、透明樹脂製のボルトおよびナットを用いたのは、それを目立たないようにして、広告表示面１２に表示されたキャラクター全体像を浮き上がらさせて、広告用品１のデザイン効果を高めるためである。ちなみに、本発明の広告用品は、そのような広告基体のみと考えてもよいし、その広告基体に結合手段である着脱可能な留め具（ボルト、ナット等）を含めて考えてもよい。
【００２６】
≪実施例２≫
本発明の他の実施例である広告用品２を図３および図４に示した。広告用品２も、図３に示すように、バス車両内の吊輪Ｗに取り付けられる。広告用品２は、キャラクターの兜の形状をした広告基体２１からなり、広告基体２１は吊輪Ｗの上部に吊輪Ｔを内包して取り付けられる。広告基体２１の広告表示面２２も、裏面側からキャラクターの兜の絵が直接印刷されてなる。この広告用品２は、吊輪Ｗの円形部分をキャラクターの顔に見立て、この広告用品２と吊輪Ｗとが一体となってキャラクター頭部をイメージさせる広告デザインとなっている。なお、実施例１と同様な内容については説明を省略した。
【００２７】
広告基体２１は分割された２つの子基体２１ａ，２１ｂからなり、正面側の子基体２１ａのみ広告表示面２２が形成されている。背面側の子基体２１ｂは、子基体２１ａと略同形状であるが、透明なままであり、キャラクター等の印刷はされていない。また、図４に示すようように、子基体２１ａと子基体２１ｂの両端に設けた結合面を重ね合わせ、その部分を透明樹脂製のボルトおよびナット２３，２３’で結合することにより、広告基体２１は吊輪Ｗの上方に配設される。
【００２８】
≪実施例３≫
本発明の別の実施例である広告用品３を図５に示した。広告用品３も図５に示すように、バス車両内の吊革Ｔに取り付けられる。広告用品３は、キャラクターの頭部の形状をなした広告基体３１が吊輪Ｗの上方で吊革Ｔにボルトおよびナット３３，３３’を介して取り付けられている。広告基体３１も、その裏面側からキャラクターの頭部の絵が直接印刷されて広告表示面３２が形成されている。広告用品３では、吊輪Ｗの円形部分をキャラクターの胴体に見立てることにより、キャラクターの全体像をイメージさせる広告デザインとなっている。なお、実施例１または実施例２と同様な内容については説明を省略した。
【符号の説明】
【００２９】
１，２，３        広告用品
１１，２１，３１  広告基体
２１ａ，２１ｂ  子基体
１２，２２，３２  広告表示面
１３  広告基体中央線
１４，１４’  オフセット線
１５，１５’  デザイン面
１６  接続面
１７，１７’，１８，１８’  結合面
１９，１９’，２０，２０’  貫通穴
２３，２３’，３３，３３’  ボルト及びナット
Ｔ  吊革
Ｗ  吊輪
【図２】
2015108785.tif 000003
【図３】
2015108785.tif 000004
【図５】
2015108785.tif 000005
【図１】
2015108785.tif 000006
【図４】
2015108785.tif 000007